(57)【要約】【課題】十分な耐熱安定性を有し、かつ、高い洗浄力を発揮できる洗浄ブラシを提供する。【解決手段】被洗浄面に付着した汚れ等を洗浄するためのブラシ片を有する洗浄ブラシにおいて、前記ブラシ片にエチレン・メチル・アクリレート樹脂が使用されてあるものである。【選択図】        図１
2004283532.tif 000002
【特許請求の範囲】
【請求項１】
被洗浄面に付着した汚れ等を洗浄するためのブラシ片を有する洗浄ブラシにおいて、前記ブラシ片にエチレン・メチル・アクリレート樹脂が使用されてあることを特徴とする洗浄ブラシ。
【請求項２】
被洗浄面に付着した汚れ等を洗浄するためのブラシ片を有する洗浄ブラシにおいて、前記ブラシ片にエチレン・ブチル・アクリレート樹脂が使用されてあることを特徴とする洗浄ブラシ。
【請求項３】
被洗浄面に付着した汚れ等を洗浄するためのブラシ片を有する洗浄ブラシにおいて、前記ブラシ片にエチレン・メチル・アクリレート樹脂及びエチレン・ブチル・アクリレート樹脂が使用されてあることを特徴とする洗浄ブラシ。
【請求項４】
請求項１から３記載の構成よりなる洗浄ブラシにおいて、前記ブラシ片は、複数の独立気泡を有する発泡体にて形成されてあることを特徴とする洗浄ブラシ。
【発明の詳細な説明】
【０００１】
【発明の属する技術分野】
本発明は、例えば、電車、バス、自動車等の各種車両及び航空機等の被洗浄面に付着した汚れ等を洗浄するための洗浄ブラシに関するものである。
【０００２】
【従来の技術】
洗浄ブラシについては、さまざまな改良がなされ、ブラシ片に、エチレン・ビニル・アセテート樹脂（以下、ＥＶＡと表わす）の発泡体を使用した洗浄ブラシが製作されてある。ＥＶＡは、融点が比較的低く、柔軟性があって、凍結しにくく、かつ、含水時の重量％変化が小さい等の長所を有する材料であるが、摩擦係数が高く、柔軟性が気温変化の影響を受け易い為、ブラシ片の腰の強さが、気温により大きく変化し、洗浄力が低下したり、被洗浄面を傷つけたりする現象が発生していた。
【０００３】
次に、ＥＶＡの有する課題を解決すべく、特開２００２−３１６６２３号に開示の如く、ブラシ片に、エチレン・エチル・アクリレート樹脂（以下、ＥＥＡと表わす）の発泡体を使用した洗浄ブラシが提案されてある。ＥＥＡは、ＥＶＡと比較して、摩擦係数が少なく、耐熱性が向上されてあり、かつ、柔軟性が気温変化の影響を受けにくい為、ＥＶＡよりも洗浄力が低下したり、被洗浄面を傷つけたりする程度を低減できる。しかし、ＥＥＡにおいても、夏季の高温時には、ブラシ片が熱収縮を起こして変形あるいは劣化したり、冬季の低温時には、ブラシ片が硬化して被洗浄面を傷つける場合があった。
【０００４】
【発明が解決しようとする課題】
本発明は、上記のような課題を解決するためになされたもので、十分な耐熱安定性を有し、かつ、高い洗浄力を発揮できる洗浄ブラシを提供することを目的としている。
【０００５】
【課題を解決するための手段】
本発明にかかる洗浄ブラシは、次のように構成したものである。
（１）被洗浄面に付着した汚れ等を洗浄するためのブラシ片を有する洗浄ブラシにおいて、前記ブラシ片にエチレン・メチル・アクリレート樹脂が使用されてあるものである。
【０００６】
（２）被洗浄面に付着した汚れ等を洗浄するためのブラシ片を有する洗浄ブラシにおいて、前記ブラシ片にエチレン・ブチル・アクリレート樹脂が使用されてあるものである。
【０００７】
（３）被洗浄面に付着した汚れ等を洗浄するためのブラシ片を有する洗浄ブラシにおいて、前記ブラシ片にエチレン・メチル・アクリレート樹脂及びエチレン・ブチル・アクリレート樹脂が使用されてあるものである。
【０００８】
（４）上記（１）から（３）記載の洗浄ブラシにおいて、前記ブラシ片は、複数の独立気泡を有する発泡体にて形成されてあるものである。
【０００９】
【発明の実施の形態】
実施の形態１
実施の形態１を、図１から図３を使用して説明する。図１は、本発明の実施の形態１の洗浄ブラシを前面側から見た斜視図である。図１において、１は洗浄ブラシ、２は回転軸、３、４、５はブラシ片、６はスリット、７は円孔、８は止め金具、９は溝部である。図２は、本発明のブラシ片に使用したエチレン・メチル・アクリレート樹脂、エチレン・ブチル・アクリレート樹脂、及びＥＥＡの引張荷重を表わすグラフである。図３は、引張試験の設置状態を表わす正面図である。
【００１０】
本発明の洗浄ブラシ１は、図１の如く、回転軸２、ブラシ片３、４、５及び止め金具８より構成されてある。ブラシ片３、４、５は、止め金具８に装着されて、回転軸２の外周部に形成された溝部９にたいして、勘合挿入されて、複数、形成されてある。洗浄ブラシ１は、自動車の外面を洗浄するための洗車ブラシとして、使用されてある。
【００１１】
ブラシ片３、４、５は、複数の独立気泡を有する発泡体であり、材質には、エチレン・メチル・アクリレート樹脂（以下、ＥＭＡと表わす）が、使用されてある。ＥＭＡは、エチレンとアクリル酸エステルの一種であるアクリル酸メチルの共重合体により形成されてある。また、従来のＥＥＡは、エチレン・エチル・アクリレート樹脂であり、エチレンとアクリル酸エステルの一種であるアクリル酸エチルの共重合体により形成されてある。また、エチレンとアクリル酸エステルの一種であるアクリル酸ブチルの共重合体により形成されてある場合には、エチレン・ブチル・アクリレート樹脂（以下、ＥＢＡと表わす）と呼ばれている。
【００１２】
一般的に、アクリル酸エステルは、アルキル基が長くなっていく順に、アクリル酸メチル、アクリル酸エチル、アクリル酸ブチルという組成で表わされる。また、アクリル酸エステルは、アルキル基が短くなるほど、熱にたいして分解されにくい性質が、大きくなっていく。その為、アクリル酸メチル、アクリル酸エチル、アクリル酸ブチルの順に、熱にたいして分解されにくい性質が大きくなっている。
【００１３】
次に、図２及び図３の如く、ブラシ片３、４、５に使用した材料と同じく、ＥＭＡの引張試験を実施したので、説明する。前記の材料を、図３の如く、幅８ミリ（図中Ｗ０）、高さ２．５ミリ（図中Ｈ）、引張部長さ５０ミリ（図中Ｌ０）に形成し、引張部長さが、所定長さ（図中Ｌ）まで延びたときの引張荷重（図中Ｗ）を測定し、破断するまで延ばした。従来のＥＥＡ及びＥＢＡについても、ＥＭＡと同様に形成し、所定長さまで延びたときの引張荷重を測定し、破断するまで延ばした。その後、３種類の材料を比較して、図２の如くのグラフとした。
【００１４】
引張荷重を測定した結果、図２の如く、所定長さＬ（単位ミリ）における引張荷重Ｗ（単位Ｎ：ニュートン）は、一部の所定長さＬ以外は、ＥＢＡ、ＥＭＡ、ＥＥＡの順に、大きくなっていた。また、破断した時の所定長さＬについては、従来のＥＥＡが１７０ミリ、ＥＭＡが３００ミリ、ＥＢＡが２１０ミリであり、ＥＥＡに比べて、ＥＭＡは約１．７６倍、ＥＢＡは約１．２４倍延ばすことができた。つまり、ＥＭＡは、ＥＥＡに比べて、耐引張強度及び延びにたいする耐久性が高い。その為、ブラシ片にＥＭＡを使用した本発明の洗浄ブラシは、耐引張強度及び延びにたいする耐久性が高く、かつ、高い洗浄力を発揮できる。
【００１５】
本発明の実施の形態１の洗浄ブラシ１は、上記の如くの構成となっている為、ブラシ片３、４、５にＥＭＡの発泡体を使用した洗浄ブラシ１は、従来のブラシ片にＥＥＡの発泡体を使用した洗浄ブラシと比較して、より熱にたいして分解されにくい性質が大きくなっている。その為、従来のブラシ片にＥＥＡの発泡体を使用した洗浄ブラシに比べて、より高い耐熱性を有することができるので、ブラシ片３、４、５は、十分な耐熱安定性を有し、夏場の高温時に、熱収縮を起こして変形、あるいは劣化したり、使用不能になる事がない。また、ブラシ片３、４、５が十分な耐熱性を有している為、洗浄ブラシ１は、高い洗浄力及び耐久性を発揮できる。また、ブラシ片３、４、５は、複数の独立気泡が形成されてある発泡体が使用されてある為、含水による重量変化が少ない。さらにまた、ＥＭＡは、ＥＥＡに比べて、耐引張強度及び延びにたいする耐久性が高い為、ブラシ片３、４、５にＥＭＡを使用した本発明の洗浄ブラシ１は、耐引張強度及び延びにたいする耐久性が高く、かつ、高い洗浄力を発揮できる。
【００１６】
本発明の実施の形態１の洗浄ブラシ１は、上記の如くの構成となっているが、ＥＭＡの硬度、密度、充填剤、表面処理、ブラシ片のスリット等の詳細形状、洗浄ブラシの構造等については、使用する目的に応じて、例えば、充填剤としてシリコーン樹脂、シリコーンオイルを使用したり、表面処理として、各種樹脂コーティングを実施したり、適時、最適になるように設定しても、何ら支障は無い。
【００１７】
実施の形態２
実施の形態２を、図２から図４を使用して説明する。図２は、本発明のブラシ片に使用したエチレン・メチル・アクリレート樹脂、エチレン・ブチル・アクリレート樹脂、及びＥＥＡの引張荷重を表わすグラフである。図３は、引張試験の設置状態を表わす正面図である。図４は、本発明の実施の形態２の洗浄ブラシを前面側から見た斜視図である。図４において、１１は洗浄ブラシ、１２は回転軸、１３、１４、１５はブラシ片、１６はスリット、１７は円孔、１８は止め金具、１９は溝部である。
【００１８】
本発明の洗浄ブラシ１１は、図４の如く、回転軸１２、ブラシ片１３、１４、１５及び止め金具１８より構成されてある。ブラシ片１３、１４、１５は、止め金具１８に装着されて、回転軸１２の外周部に形成された溝部１９にたいして、勘合挿入されて、複数、形成されてある。洗浄ブラシ１１は、自動車の外面を洗浄するための洗車ブラシとして、使用されてある。
【００１９】
ブラシ片１３、１４、１５は、複数の独立気泡を有する発泡体であり、材質には、ＥＢＡが、使用されてある。ＥＢＡは、エチレンとアクリル酸エステルの一種であるアクリル酸ブチルの共重合体により形成されてある。また、従来のＥＥＡは、エチレン・エチル・アクリレート樹脂であり、エチレンとアクリル酸エステルの一種であるアクリル酸エチルの共重合体により形成されてある。
【００２０】
また、ガラス転移点は、ＥＢＡが約−４０度、ＥＥＡが約−３４度、ＥＭＡが約−２６度であり、ＥＢＡのガラス転移点は、ＥＥＡのガラス転移点よりも、低くなっている。その為、ＥＢＡは、ＥＥＡに比べて、硬化する温度が低く、低温時の形状安定性及び耐久性に優れている。
【００２１】
次に、図２及び図３の如く、ブラシ片１３、１４、１５に使用した材料と同じく、ＥＢＡの引張試験を実施したので、説明する。前記の材料を、図３の如く、幅８ミリ（図中Ｗ０）、高さ２．５ミリ（図中Ｈ）、引張部長さ５０ミリ（図中Ｌ０）に形成し、引張部長さが、所定長さ（図中Ｌ）まで延びたときの引張荷重（図中Ｗ）を測定し、破断するまで延ばした。従来のＥＥＡ及びＥＭＡについても、ＥＢＡと同様に形成し、所定長さまで延びたときの引張荷重を測定し、破断するまで延ばした。その後、３種類の材料を比較して、図２の如くのグラフとした。
【００２２】
引張荷重を測定した結果、図２の如く、所定長さＬ（単位ミリ）における引張荷重Ｗ（単位Ｎ：ニュートン）は、一部の所定長さＬ以外は、ＥＢＡ、ＥＭＡ、ＥＥＡの順に、大きくなっていた。また、破断した時の所定長さＬについては、従来のＥＥＡが１７０ミリ、ＥＭＡが３００ミリ、ＥＢＡが２１０ミリであり、ＥＥＡに比べて、ＥＭＡは約１．７６倍、ＥＢＡは約１．２４倍延ばすことができた。つまり、ＥＢＡは、ＥＥＡに比べて、耐引張強度及び延びにたいする耐久性が高い。その為、ブラシ片にＥＢＡを使用した本発明の洗浄ブラシは、耐引張強度及び延びにたいする耐久性が高く、かつ、高い洗浄力を発揮できる。
【００２３】
本発明の実施の形態２の洗浄ブラシ１１は、上記の如くの構成となっている為、ブラシ片１３、１４、１５にＥＢＡの発泡体を使用した洗浄ブラシ１１は、従来のブラシ片にＥＥＡの発泡体を使用した洗浄ブラシと比較して、硬化する温度が低く、低温時の形状安定性及び耐久性に優れている。その為、従来のブラシ片にＥＥＡの発泡体を使用した洗浄ブラシに比べて、より低温時の形状安定性及び耐久性を有することができるので、ブラシ片１３、１４、１５は、十分な耐熱安定性を有し、冬季の低温時においても、ブラシ片１３、１４、１５が硬化して被洗浄面を傷つけることが無く、高い洗浄力及び耐久性を発揮できる。また、ブラシ片１３、１４、１５は、複数の独立気泡が形成されてある発泡体が使用されてある為、含水による重量変化が少ない。さらにまた、ＥＢＡは、ＥＥＡに比べて、耐引張強度及び延びにたいする耐久性が高い為、ブラシ片１３、１４、１５にＥＢＡを使用した本発明の洗浄ブラシ１１は、耐引張強度及び延びにたいする耐久性が高く、かつ、高い洗浄力を発揮できる。
【００２４】
本発明の実施の形態２の洗浄ブラシ１１は、上記の如くの構成となっているが、ＥＢＡの硬度、密度、充填剤、表面処理、ブラシ片のスリット等の詳細形状、洗浄ブラシの構造等については、使用する目的に応じて、例えば、充填剤としてシリコーン樹脂、シリコーンオイルを使用したり、表面処理として、各種樹脂コーティングを実施したり、適時、最適になるように設定しても、何ら支障は無い。
【００２５】
実施の形態３
実施の形態３を、図５を使用して説明する。図５は、本発明の実施の形態３の洗浄ブラシを前面側から見た斜視図である。図５において、２１は洗浄ブラシ、２２は回転軸、２３、２４、２５はブラシ片、２６はスリット、２７は円孔、２８は止め金具、２９は溝部である。
【００２６】
本発明の洗浄ブラシ２１は、図５の如く、回転軸２２、ブラシ片２３、２４、２５及び止め金具２８より構成されてある。ブラシ片２３、２４、２５は、止め金具２８に装着されて、回転軸２２の外周部に形成された溝部２９にたいして、勘合挿入されて、複数、形成されてある。洗浄ブラシ２１は、自動車の外面を洗浄するための洗車ブラシとして、使用されてある。
【００２７】
ブラシ片２３、２４、２５は、複数の独立気泡を有する発泡体であり、ブラシ片２３、２５の材質には、ＥＭＡが使用されてある。また、ブラシ片２４の材質には、ＥＢＡが使用されてある。
【００２８】
本発明の実施の形態３の洗浄ブラシ２１は、上記の如くの構成となっていると共に、ＥＭＡ及びＥＢＡは、前記実施の形態１及び２に記載の性質を有している為、ブラシ片２３、２５にＥＭＡの発泡体が使用されてあると共に、ブラシ片２４にＥＭＡの発泡体が使用されてある洗浄ブラシ２１は、従来のブラシ片にＥＥＡの発泡体を使用した洗浄ブラシと比較して、より熱にたいして分解されにくい性質が大きくなっている。その為、従来のブラシ片にＥＥＡの発泡体を使用した洗浄ブラシに比べて、より高い耐熱性を有することができるので、ブラシ片２３、２５は、十分な耐熱安定性を有し、夏場の高温時に、熱収縮を起こして変形、あるいは劣化したり、使用不能になる事がない。また、ブラシ片２３、２５が十分な耐熱性を有している為、洗浄ブラシ２１は、高い洗浄力及び耐久性を発揮できる。また、ブラシ片２３、２５は、複数の独立気泡が形成されてある発泡体が使用されてある為、含水による重量変化が少ない。さらにまた、ＥＭＡは、ＥＥＡに比べて、耐引張強度及び延びにたいする耐久性が高い為、ブラシ片２３、２５にＥＭＡを使用した本発明の洗浄ブラシ２１は、耐引張強度及び延びにたいする耐久性が高く、かつ、高い洗浄力を発揮できる。
【００２９】
また、ブラシ片２４にＥＢＡの発泡体を使用した洗浄ブラシ２１は、従来のブラシ片にＥＥＡの発泡体を使用した洗浄ブラシと比較して、硬化する温度が低く、低温時の形状安定性及び耐久性に優れている。その為、従来のブラシ片にＥＥＡの発泡体を使用した洗浄ブラシに比べて、より低温時の形状安定性及び耐久性を有することができるので、ブラシ片２４は、十分な耐熱安定性を有し、冬季の低温時においても、ブラシ片２４が硬化して被洗浄面を傷つけることが無く、高い洗浄力及び耐久性を発揮できる。また、ブラシ片２４は、複数の独立気泡が形成されてある発泡体が使用されてある為、含水による重量変化が少ない。さらにまた、ＥＢＡは、ＥＥＡに比べて、耐引張強度及び延びにたいする耐久性が高い為、ブラシ片２４にＥＢＡを使用した本発明の洗浄ブラシ２１は、耐引張強度及び延びにたいする耐久性が高く、かつ、高い洗浄力を発揮できる。したがって、ブラシ片にＥＭＡ及びＥＢＡが使用されてある本発明の洗浄ブラシ２１は、十分な耐熱安定性を有し、夏場の高温時に、ブラシ片が熱収縮を起こして変形、あるいは劣化したり、使用不能になる事がないと共に、冬季の低温時においても、ブラシ片が硬化して被洗浄面を傷つけることが無く、高い洗浄力及び耐久性を発揮できる。
【００３０】
【発明の効果】
以上の説明から明らかなように、本発明の洗車ブラシは次に示すような効果を得ることができる。なお、説明にあたっては、請求項の番号と同じ番号を付して説明する。
【００３１】
（１）ブラシ片にＥＭＡの発泡体を使用した洗浄ブラシは、従来のブラシ片にＥＥＡの発泡体を使用した洗浄ブラシと比較して、より熱にたいして分解されにくい性質が大きくなっている。その為、従来のブラシ片にＥＥＡの発泡体を使用した洗浄ブラシに比べて、より高い耐熱性を有することができるので、ブラシ片は、十分な耐熱安定性を有し、夏場の高温時に、熱収縮を起こして変形、あるいは劣化したり、使用不能になる事がない。また、ブラシ片が十分な耐熱性を有している為、洗浄ブラシは、高い洗浄力及び耐久性を発揮できる。また、ブラシ片は、複数の独立気泡が形成されてある発泡体が使用されてある為、含水による重量変化が少ない。さらにまた、ＥＭＡは、ＥＥＡに比べて、耐引張強度及び延びにたいする耐久性が高い為、ブラシ片にＥＭＡを使用した本発明の洗浄ブラシは、耐引張強度及び延びにたいする耐久性が高く、かつ、高い洗浄力を発揮できる。
【００３２】
（２）ブラシ片にＥＢＡの発泡体を使用した洗浄ブラシは、従来のブラシ片にＥＥＡの発泡体を使用した洗浄ブラシと比較して、硬化する温度が低く、低温時の形状安定性及び耐久性に優れている。その為、従来のブラシ片にＥＥＡの発泡体を使用した洗浄ブラシに比べて、より低温時の形状安定性及び耐久性を有することができるので、ブラシ片は、十分な耐熱安定性を有し、冬季の低温時においても、ブラシ片が硬化して被洗浄面を傷つけることが無く、高い洗浄力及び耐久性を発揮できる。また、ブラシ片は、複数の独立気泡が形成されてある発泡体が使用されてある為、含水による重量変化が少ない。さらにまた、ＥＢＡは、ＥＥＡに比べて、耐引張強度及び延びにたいする耐久性が高い為、ブラシ片にＥＢＡを使用した本発明の洗浄ブラシは、耐引張強度及び延びにたいする耐久性が高く、かつ、高い洗浄力を発揮できる。
【００３３】
（３）ブラシ片にＥＭＡの発泡体が使用されてあると共に、ブラシ片にＥＭＡの発泡体が使用されてある洗浄ブラシは、従来のブラシ片にＥＥＡの発泡体を使用した洗浄ブラシと比較して、より熱にたいして分解されにくい性質が大きくなっている。その為、従来のブラシ片にＥＥＡの発泡体を使用した洗浄ブラシに比べて、より高い耐熱性を有することができるので、ブラシ片は、十分な耐熱安定性を有し、夏場の高温時に、熱収縮を起こして変形、あるいは劣化したり、使用不能になる事がない。また、ブラシ片が十分な耐熱性を有している為、洗浄ブラシは、高い洗浄力及び耐久性を発揮できる。また、ブラシ片は、複数の独立気泡が形成されてある発泡体が使用されてある為、含水による重量変化が少ない。さらにまた、ＥＭＡは、ＥＥＡに比べて、耐引張強度及び延びにたいする耐久性が高い為、ブラシ片にＥＭＡを使用した本発明の洗浄ブラシは、耐引張強度及び延びにたいする耐久性が高く、かつ、高い洗浄力を発揮できる。また、ブラシ片にＥＢＡの発泡体を使用した洗浄ブラシは、従来のブラシ片にＥＥＡの発泡体を使用した洗浄ブラシと比較して、硬化する温度が低く、低温時の形状安定性及び耐久性に優れている。その為、従来のブラシ片にＥＥＡの発泡体を使用した洗浄ブラシに比べて、より低温時の形状安定性及び耐久性を有することができるので、ブラシ片は、十分な耐熱安定性を有し、冬季の低温時においても、ブラシ片が硬化して被洗浄面を傷つけることが無く、高い洗浄力及び耐久性を発揮できる。また、ブラシ片は、複数の独立気泡が形成されてある発泡体が使用されてある為、含水による重量変化が少ない。さらにまた、ＥＢＡは、ＥＥＡに比べて、耐引張強度及び延びにたいする耐久性が高い為、ブラシ片にＥＢＡを使用した本発明の洗浄ブラシは、耐引張強度及び延びにたいする耐久性が高く、かつ、高い洗浄力を発揮できる。したがって、ブラシ片にＥＭＡ及びＥＢＡが使用されてある本発明の洗浄ブラシは、十分な耐熱安定性を有し、夏場の高温時に、ブラシ片が熱収縮を起こして変形、あるいは劣化したり、使用不能になる事がないと共に、冬季の低温時においても、ブラシ片が硬化して被洗浄面を傷つけることが無く、高い洗浄力及び耐久性を発揮できる。
【図面の簡単な説明】
【図１】本発明の実施の形態１の洗浄ブラシを前面側から見た斜視図である。
【図２】本発明のブラシ片に使用したエチレン・メチル・アクリレート樹脂、エチレン・ブチル・アクリレート樹脂、及びＥＥＡの引張荷重を表わすグラフである。
【図３】引張試験の設置状態を表わす正面図である。
【図４】本発明の実施の形態２の洗浄ブラシを前面側から見た斜視図である。
【図５】本発明の実施の形態３の洗浄ブラシを前面側から見た斜視図である。
【符号の説明】
１、１１、２１  洗浄ブラシ  ２、１２、２２  回転軸
３、４、５、１３、１４、１５、２３、２４、２５  ブラシ片
６、１６、２６  スリット  ７、１７、２７  円孔
８、１８、２８  止め金具  ９、１９、２９  溝部
【図１】
2004283532.tif 000003
【図２】
2004283532.tif 000004
【図３】
2004283532.tif 000005
【図４】
2004283532.tif 000006
【図５】
2004283532.tif 000007